(57)【要約】【課題】ＴＤＤにおける電波干渉を抑制しつつ、ＤＬおよびＵＬの通信を効率的に行えること。【解決手段】ＴＤＤ方式で通信を行う基地局２００は、送信用および受信用のいずれに使用するかを決定された複数のアンテナＴＰと、セルＳ配下の複数の端末２１０との間の通信状態に基づき、サブフレームを分割したミニスロットごとに複数の端末２１０との間のダウンリンクとアップリンクを割り当てるスケジューリングを行い、当該スケジューリングの情報を含む制御情報を、複数のアンテナＴＰのうち送信用に使用すると決定された送信用アンテナから複数の端末２１０に通知し、スケジューリングのダウンリンクとアップリンクとが同一のタイミングの際には、送信用アンテナのダウンリンクの信号ａのデコードをキャンセルし、複数のアンテナＴＰのうち受信用に使用すると決定された受信用アンテナが受信するアップリンクの信号ｂのみデコードを行う制御部を備える。【選択図】図１０
2018186377.tif 000002
【特許請求の範囲】
【請求項１】
ＴＤＤ（Ｔｉｍｅ  Ｄｉｖｉｓｉｏｎ  Ｄｕｐｌｅｘ）方式で端末と通信を行う基地局において、
送信用および受信用のいずれに使用するかを決定された複数のアンテナと、
セル配下の複数の前記端末との間の通信状態に基づき、サブフレームを分割したミニスロットごとに複数の前記端末との間のダウンリンクとアップリンクを割り当てるスケジューリングを行い、当該スケジューリングの情報を含む制御情報を、複数の前記アンテナのうち送信用に使用すると決定された送信用アンテナから複数の前記端末に通知し、
前記スケジューリングの前記ダウンリンクと前記アップリンクとが同一のタイミングの際には、前記送信用アンテナの前記ダウンリンクの信号のデコードをキャンセルし、複数の前記アンテナのうち受信用に使用すると決定された受信用アンテナが受信する前記アップリンクの信号のみデコードを行う制御部と、
を備えたことを特徴とする基地局。
【請求項２】
前記制御部は、
所定の前記ミニスロットを複数の前記端末で共通のダウンリンクとし、当該ダウンリンクのミニスロットに前記制御情報を設定し、複数の前記端末に一斉通知することを特徴とする請求項１に記載の基地局。
【請求項３】
前記制御部は、
前記制御情報として、さらに、前記基地局および前記セル内の複数の前記端末の位置情報と、前記基地局および複数の前記端末の送信電力と、をそれぞれ保持し、前記制御情報を複数の前記端末に通知することを特徴とする請求項２に記載の基地局。
【請求項４】
前記制御部は、
前記制御情報として、さらに、前記端末ごとの変調方式と、符号化方式と、リソースブロック情報と、を含むことを特徴とする請求項３に記載の基地局。
【請求項５】
前記制御部は、
前記受信用アンテナが受信する、前記アップリンクの信号と、前記送信用アンテナからの前記ダウンリンクの信号について、前記ダウンリンクの信号を特定し、特定した前記ダウンリンクの信号のデコードをキャンセルし、前記アップリンクの信号のみのデコードを行う、
ことを特徴とする請求項１〜４のいずれか一つに記載の基地局。
【請求項６】
前記制御部は、
前記端末との間の通信状態として、前記ダウンリンクのデータ滞留量および前記アップリンクのデータ滞留量に基づき、前記スケジューリングの前記ダウンリンクと前記アップリンクの割合を決定する、
ことを特徴とする請求項１〜５のいずれか一つに記載の基地局。
【請求項７】
前記制御部は、
複数の前記アンテナごとに、配下の全端末との間で合計した受信電力および送信電力と、合計したダウンリンクのデータ滞留量およびアップリンクのデータ滞留量に基づき、前記送信用アンテナと、前記受信用アンテナと、を決定する、
ことを特徴とする請求項１〜６のいずれか一つに記載の基地局。
【請求項８】
ＴＤＤ（Ｔｉｍｅ  Ｄｉｖｉｓｉｏｎ  Ｄｕｐｌｅｘ）方式で基地局のセル配下で通信を行う端末において、
前記基地局から通知された制御情報に含まれるスケジュールにしたがい、サブフレームを分割したミニスロットごとに前記基地局との間のダウンリンクとアップリンクの通信を行い、
前記ダウンリンクと前記アップリンクとが同一のタイミングの際には、前記制御情報に基づき、他の端末から受信した前記アップリンクの信号のデコードをキャンセルし、受信した前記ダウンリンクの信号のみデコードを行う制御部、
を備えたことを特徴とする端末。
【請求項９】
前記制御部は、
所定の前記ミニスロットを、前記セル配下の複数の前記端末で共通のダウンリンクとし、当該ダウンリンクのミニスロットに設定された前記制御情報を取得することを特徴とする請求項８に記載の端末。
【請求項１０】
前記制御部は、
前記制御情報に含まれる、前記基地局および複数の前記端末の位置情報と、前記基地局および複数の前記端末の送信電力と、をそれぞれ取得する、
ことを特徴とする請求項９に記載の端末。
【請求項１１】
前記制御部は、
前記制御情報に含まれる、複数の前記端末ごとの変調方式と、符号化方式と、リソースブロック情報とを、さらに取得することを特徴とする請求項１０に記載の端末。
【請求項１２】
前記制御部は、
受信した前記ダウンリンクの信号と、他の前記端末の前記アップリンクの信号について、前記アップリンクの信号を特定し、特定した前記アップリンクの信号のデコードをキャンセルし、前記ダウンリンクの信号のみのデコードを行う、
ことを特徴とする請求項８〜１１のいずれか一つに記載の端末。
【請求項１３】
前記制御部は、
前記ダウンリンクのデータの滞留量を前記基地局に送信することを特徴とする請求項８〜１２のいずれか一つに記載の端末。
【請求項１４】
ＴＤＤ（Ｔｉｍｅ  Ｄｉｖｉｓｉｏｎ  Ｄｕｐｌｅｘ）方式で通信を行う基地局と、端末と、を含む無線通信システムにおいて、
前記基地局は、
送信用および受信用のいずれに使用するかを決定された複数のアンテナと、
セル配下の複数の前記端末との間の通信状態に基づき、サブフレームを分割したミニスロットごとに複数の前記端末との間のダウンリンクとアップリンクを割り当てるスケジューリングを行い、当該スケジューリングの情報を含む制御情報を、複数の前記アンテナのうち送信用に使用すると決定された送信用アンテナから複数の前記端末に通知し、
前記スケジューリングの前記ダウンリンクと前記アップリンクとが同一のタイミングの際には、前記送信用アンテナの前記ダウンリンクの信号のデコードをキャンセルし、複数の前記アンテナのうち受信用に使用すると決定された受信用アンテナが受信する前記アップリンクの信号のみデコードを行う制御部と、を備え、
前記端末は、
前記基地局から通知された制御情報に含まれるスケジュールにしたがい、前記ミニスロットごとに前記基地局との間の前記ダウンリンクと前記アップリンクの通信を行い、
前記ダウンリンクと前記アップリンクとが同一のタイミングの際には、前記制御情報に基づき、他の端末から受信した前記アップリンクの信号のデコードをキャンセルし、受信した前記ダウンリンクの信号のみデコードを行う制御部、を備えた、
ことを特徴とする無線通信システム。
【発明の詳細な説明】
【技術分野】
【０００１】
本発明は、ＴＤＤ方式により無線通信を行う基地局、端末および無線通信システムに関する。
【背景技術】
【０００２】
通信方式の一つである時分割多重（ＴＤＤ）では、コンフィグの設定（ＴＤＤ  ｃｏｎｆｉｇ）によりサブフレーム（ｓｕｂｆｒａｍｅ）単位でダウンリンク（ＤＬ：Ｄｏｗｎ  Ｌｉｎｋ）／アップリンク（ＵＬ：Ｕｐ  Ｌｉｎｋ）の処理タイミングを指定する。ＴＤＤはＴｉｍｅ  Ｄｉｖｉｓｉｏｎ  Ｄｕｐｌｅｘの略である。
【０００３】
従来、ＴＤＤにおいて同一周波数を使用する装置間での電波干渉を回避する技術として、所定のサブフレームをセンシングサブフレームとしてＬＢＴ（Ｌｉｓｔｅｎ  Ｂｅｆｏｒｅ  Ｔａｌｋ）を行うことでＵＬ信号の電波干渉を回避する技術がある（例えば、下記特許文献１参照）。また、一つまたは複数の競合するデバイス間でＴＤＤのＵＬ通信のスケジューリングを変更し電波干渉を回避する技術がある（例えば、下記特許文献２参照。）。また、基地局とは別に配置ユニット、配置同期ユニットを設け、隣接する領域間の同一周波数の干渉を回避する技術がある（例えば、下記特許文献３参照。）。また、基地局がフレーム後半を制御スロットとして割り当て、スロットの割り当て情報を移動局に通知する技術がある（例えば、下記特許文献４参照。）。
【先行技術文献】
【特許文献】
【０００４】
【特許文献１】国際公開第２０１６／０１７３５５号
【特許文献２】特開２０１６−０２８５１４号公報
【特許文献３】特表２０１１−５０４６９２号公報
【特許文献４】特開２００１−１７７８６５号公報
【発明の概要】
【発明が解決しようとする課題】
【０００５】
ＴＤＤの通信ではコンフィグの設定（ＴＤＤ  ｃｏｎｆｉｇ値（例えば値：０〜６））によってＤＬ／ＵＬの処理タイミングは基地局がセル単位に決定する。しかしながら、コンフィグの値を変更する程度では、基地局は端末との間のＤＬ／ＵＬの通信状態に柔軟に対応できなかった。例えば、ＤＬ通信量が多い端末とＵＬ通信量が多い端末がセル内に混在した場合、端末の通信に遅延やスループットの低下が生じた。例えば、ＤＬの割合が多いコンフィグが適用されていると、ＵＬ送信回数が減るため、ＵＬ送信が多い端末で遅延時間の増大やスループットの低下が生じる。
【０００６】
また、ＴＤＤの基地局は、ＤＬとＵＬを一つの送信ポイント（ＴＰ：Ｔｒａｎｓｍｉｓｓｉｏｎ  Ｐｏｉｎｔ）で同時に送信することはできなかった。ここで、基地局が複数のＴＰを有する場合、異なるＴＰ間で同時にＤＬとＵＬの通信を行うと、ＴＰ間で電波干渉が生じる。この電波干渉は端末間でも生じる。
【０００７】
一つの側面では、本発明は、ＴＤＤにおける電波干渉を抑制しつつ、ＤＬおよびＵＬの通信を効率的に行えることを目的とする。
【課題を解決するための手段】
【０００８】
一つの案では、基地局は、ＴＤＤ（Ｔｉｍｅ  Ｄｉｖｉｓｉｏｎ  Ｄｕｐｌｅｘ）方式で端末と通信を行う基地局において、送信用および受信用のいずれに使用するかを決定された複数のアンテナと、セル配下の複数の前記端末との間の通信状態に基づき、サブフレームを分割したミニスロットごとに複数の前記端末との間のダウンリンクとアップリンクを割り当てるスケジューリングを行い、当該スケジューリングの情報を含む制御情報を、複数の前記アンテナのうち送信用に使用すると決定された送信用アンテナから複数の前記端末に通知し、前記スケジューリングの前記ダウンリンクと前記アップリンクとが同一のタイミングの際には、前記送信用アンテナの前記ダウンリンクの信号のデコードをキャンセルし、複数の前記アンテナのうち受信用に使用すると決定された受信用アンテナが受信する前記アップリンクの信号のみデコードを行う制御部と、を備えたことを要件とする。
【発明の効果】
【０００９】
一つの実施形態によれば、ＴＤＤにおける電波干渉を抑制しつつ、ＤＬおよびＵＬの通信を効率的に行える。
【図面の簡単な説明】
【００１０】
【図１】図１は、実施の形態にかかる無線通信システムが用いるミニスロットのフレーム構成例を示す図である。
【図２】図２は、既存の基地局における送信ポイントを説明する図である。
【図３】図３は、実施の形態にかかる無線通信システムの構成例を示す図である。
【図４】図４は、実施の形態にかかる基地局の構成例を示すブロック図である。
【図５】図５は、実施の形態にかかる端末の構成例を示すブロック図である。
【図６】図６は、実施の形態にかかる基地局のハードウェア構成例を示す図である。
【図７】図７は、実施の形態にかかる端末のハードウェア構成例を示す図である。
【図８】図８は、実施の形態にかかる無線通信システムの処理内容を示すシーケンス図である。
【図９】図９は、実施の形態にかかる基地局が管理するミニスロット管理テーブルの内容例を示す図表である。
【図１０】図１０は、実施の形態にかかる無線通信システムにおける同時タイミングのＵＬ／ＤＬによる電波干渉の説明図である。
【図１１】図１１は、実施の形態にかかる基地局が行う初期設定の処理例を示すフローチャートである。
【図１２】図１２は、実施の形態にかかる基地局のＴＰ管理テーブルの例を示す図表である。
【図１３】図１３は、実施の形態にかかる基地局が行う制御情報を端末に通知する処理例を示すフローチャートである。
【図１４】図１４は、実施の形態にかかる基地局が行う電波干渉回避のデコード処理例を示すフローチャートである。
【図１５】図１５は、実施の形態にかかる基地局のＴＰデータテーブルの例を示す図表である。
【図１６】図１６は、実施の形態にかかる端末が行う通知された制御情報に基づく処理例を示すフローチャートである。
【図１７】図１７は、実施の形態にかかる端末のデータ管理部の各テーブルの例を示す図表である。
【図１８】図１８は、実施の形態にかかる端末が行う電波干渉回避のデコード処理例を示すフローチャートである。
【図１９】図１９は、実施の形態にかかる端末のデータ管理部の各テーブルの例を示す図表である。
【発明を実施するための形態】
【００１１】
（実施の形態）
図１は、実施の形態にかかる無線通信システムが用いるミニスロットのフレーム構成例を示す図である。実施の形態では、ＴＤＤのスロットを複数のミニスロット単位に分割し、ミニスロット単位でＤＬ／ＵＬを設定する。次世代の移動体通信の通信方式（５Ｇ：５ｔｈ  Ｇｅｎｅｒａｔｉｏｎ）では、遅延時間削減などを目的として１スロットをさらに分割したミニスロット（ｍｉｎｉ−ｓｌｏｔ）単位が提案されている。
【００１２】
図１の例は、設定がＴＤＤ  ｃｏｎｆｉｇ２の例であり、ＤＬ→ＵＬへの切り替えには、ＳＳ（Ｓｐｅｃｉａｌ  Ｓｕｂｆｒａｍｅ）が設けられている。図１に示す例では、１スロットが７つのミニスロット（ｍｉｎｉ−ｓｌｏｔ）＃０〜＃６に分割されている。ミニスロット単位ごとに、ＤＬ／ＵＬが設定可能である。
【００１３】
ここで、近年のスマートフォンやタブレットの急速な普及、ＩｏＴ（Ｉｎｔｅｒｎｅｔ  ｏｆ  Ｔｈｉｎｇｓ）の加速、ビッグデータの利用拡大に伴い、端末（ＵＥ：Ｕｓｅｒ  Ｅｑｕｉｐｍｅｎｔ）の利用形態に応じた柔軟なネットワーク提供が必要となっている。対応して、ＤＬ受信が多いＵＥ（例えば、ストリーミング受信端末）が多数存在するセルではＤＬタイミングが多いｃｏｎｆｉｇによる運用が必要である。また、ＵＬ送信が多いＵＥ（例えば、ＩｏＴ端末、ＴＶ電話）が多数存在するセルではＵＬタイミングが多いｃｏｎｆｉｇの運用が必要である。既存の技術では、サブフレーム単位のＴＤＤ  Ｃｏｎｆｉｇの変更でしか対応できなかった。
【００１４】
これに対し、実施の形態では、例えば、ＴＤＤの同一のセル内にＤＬ受信が多いＵＥと、ＵＬ送信が多いＵＥとが存在した場合でも、これら各ＵＥにおける電波干渉を抑制して効率的なデータ送受信を行えるようにする。
【００１５】
図２は、既存の基地局における送信ポイントを説明する図である。上記のような柔軟な運用を実現するために、基地局（ｅＮＢ：ｅｖｏｌｖｅｄ  Ｎｏｄｅ  Ｂ）２００は、ミニスロット技術を利用し、セルＳ内のＵＥ（２１０）ごとにミニスロット単位でＤＬとＵＬを割り当てることが考えられる。但し、基地局（ｅＮＢ）２００は、送信ポイント（ＴＰ）単位で見ると、ＤＬとＵＬを同時に行うことができない。ＴＰは、例えば、一つのアンテナや同じ場所に設置された複数のアンテナ集合に相当する。以降、これらを表現する言葉としてＴＰを用いることとする。
【００１６】
一つのＴＰだけでは、例えば、ＤＬの端末１（ＵＥ＃１）への送信（ＤＬ）中は、ＵＬの端末２（ＵＥ＃０）からの受信を行えない。さらに、図２の例に示すように、セルＳ内にＤＬのデータ量が多い端末１（ＵＥ＃１）と、ＵＬのデータ量が多い端末（ＵＥ＃０）が存在しているとする。この場合には、ＤＬのデータ量が多い端末１（ＵＥ＃１）への送信（ＤＬ）中は、継続してＵＬのデータ量が多い端末２（ＵＥ＃０）からの受信を行えない。このように、単にミニスロット単位でＤＬとＵＬを割り当てただけでは、ＤＬ／ＵＬの全体の通信効率を向上できない。
【００１７】
図３は、実施の形態にかかる無線通信システムの構成例を示す図である。実施の形態では、あるタイミングにおいてｅＮＢ（２００）が送信用ＴＰと受信用ＴＰとを有し、ＤＬとＵＬを同時に行えるように送信用ＴＰと受信用ＴＰに分けて通信を行う。図３に示す状態は、ＵＥ＃１（２１０）のＤＬ信号のデータ量が多く、また、ＵＥ＃０（２１０）のＵＬ信号のデータ量も多い場合を示している。
【００１８】
ここで、単に送信用ＴＰと受信用ＴＰとを設けた場合、既存の技術では、ＤＬとＵＬがいずれもデータ量が多いため、ＤＬとＵＬのタイミングが同時になる場合が多くなり、その分電波干渉が多く発生しやすくなる。ＤＬとＵＬのタイミングが同時の場合、ｅＮＢ２００側のＴＰで電波干渉が生じ（箇所（１））、また、ＵＥ２１０側でも電波干渉が生じる（箇所（２））。これに対応するため、実施の形態では、基地局（ｅＮＢ）２００、および端末（ＵＥ）２１０がそれぞれ、必要な信号のみのデコードを行うことで電波干渉の影響を抑制する。
【００１９】
ｅＮＢ２００では、受信用ＴＰは、「送信用ＴＰからのＤＬ信号」と、「ＵＥ２１０からのＵＬ信号」が同時に届いた場合（箇所（１））、「送信用ＴＰからのＤＬ信号」のデコードはキャンセルして、「ＵＥ２１０からのＵＬ信号」のみのデコードを行う。この際、ＴＰがどのＤＬ信号を送信したかはｅＮＢ２００が管理しており、該当するＤＬ信号を破棄する。
【００２０】
ＵＥ２１０では、「送信用ＴＰからのＤＬ信号」と「別ＵＥからのＵＬ信号」が同時に届いた場合、「別ＵＥからのＵＬ信号」のデコードはキャンセルして、「送信用ＴＰからのＤＬ信号」のみのデコードを行う。図３の例では、ＵＥ＃１（２１０）は、「送信用ＴＰからのＤＬ信号」と「ＵＥ＃０（２１０）からのＵＬ信号」が同時に届いた場合、「ＵＥ＃０（２１０）からのＵＬ信号」のデコードをキャンセルする。そして、「送信用ＴＰからのＤＬ信号」のみのデコードを行う。
【００２１】
ここで、ｅＮＢ２００は、ミニスロットの一部、例えば、サブフレーム（ｓｕｂｆｒａｍｅ）＃０のｍｉｎｉ−ｓｌｏｔ＃０を、別ＵＥ（例えばＵＥ＃０（２１０））のスケジューリング情報等の制御情報を通知するスロットとして使用する。ＵＥ＃１（２１０）は、この制御情報を用いて別のＵＥ（ＵＥ＃０）の信号をデコードする。後述するが、ｅＮＢ２００は、ｓｕｂｆｒａｍｅ＃０のｍｉｎｉ−ｓｌｏｔ＃０は各ＵＥ２１０のいずれもＤＬに設定する。このミニスロット＃０をＤＬとしたタイミングによって、ｅＮＢ２００は、電波干渉の回避に使用する制御情報を各ＵＥ２１０へ一斉に通知できる。
【００２２】
図４は、実施の形態にかかる基地局の構成例を示すブロック図である。基地局（ｅＮＢ）２００は、基地局動作制御部４０１、無線送受信部４０２、無線送受信インタフェース部４０３、ベースバンド信号処理部４０４、伝送路信号変換部４０５、伝送路インタフェース部４０６、を含む。
【００２３】
無線送受信部４０２は、ＵＥ２１０との間で無線信号を送受信し、データ通信を行う。また、伝送路インタフェース部４０６は、コアネットワーク装置ＣＮ、例えば、ＭＭＥ（Ｍｏｂｉｌｉｔｙ  Ｍａｎａｇｅｍｅｎｔ  Ｅｎｔｉｔｙ）との間でネットワーク側の信号を送受信してデータ通信を行う。
【００２４】
無線送受信インタフェース部４０３は、無線送受信部４０２に対し送受信するデータをデータ変換する。ベースバンド信号処理部４０４は、無線送受信インタフェース部４０３と伝送路信号変換部４０５との間で入出力（送受信）するデータに対するベースバンド処理を行う。伝送路信号変換部４０５は、ベースバンド信号処理部４０４と伝送路インタフェース部４０６との間でベースバンド信号を伝送路のネットワーク信号に変換する。
【００２５】
基地局動作制御部４０１は、ｅＮＢ２００が有する上記各機能（基地局動作制御部４０１〜伝送路インタフェース部４０６）を統括制御する。この基地局動作制御部４０１は、送受信ＴＰ（送信ポイント）決定部４１１、ｍｉｎｉ−ｓｌｏｔ割り当て決定部４１２、ｍｉｎｉ−ｓｌｏｔ情報設定部４１３、電波干渉判定部４１４、データ管理部４１５、を含む。
【００２６】
送受信ＴＰ決定部４１１は、ＴＰごとに、ＵＥ２１０の受信電力・送信電力、データ滞留量等に基づき、送信用ＴＰと受信用ＴＰを決定する。ｍｉｎｉ−ｓｌｏｔ割り当て決定部４１２は、各ＵＥ２１０からのＤＬ／ＵＬ滞留量（未送信データ量）により、各ＵＥ２１０におけるＤＬ／ＵＬのミニスロットの割り当てを決定する。ｍｉｎｉ−ｓｌｏｔ情報設定部４１３は、所定のミニスロット（実施の形態では、例えば、ｓｕｂｆｒａｍｅ＃０のｍｉｎｉ−ｓｌｏｔ＃０）に各ＵＥ２１０のスケジューリング情報を含む制御情報を設定する。
【００２７】
電波干渉判定部４１４は、データ受信時、データ管理部４１５のｍｉｎｉ−ｓｌｏｔ管理テーブルを参照し、ＤＬとＵＬのタイミングが同時かどうかを判定する。ＤＬとＵＬのタイミングが同時だった場合、電波干渉のデータを除いてデコードを行うが、このデコード処理はベースバンド信号処理部４０４で行う。
【００２８】
データ管理部４１５は、ＴＰ管理テーブル４２１と、ＴＰデータテーブル４２２と、ｍｉｎｉ−ｓｌｏｔ管理テーブル４２３とを含み、記憶保持する。ＴＰ管理テーブル４２１は、ＴＰの送受信割り当て種別を記憶保持する。ＴＰデータテーブル４２２は、ＴＰで送受信したデータを記憶保持する。ｍｉｎｉ−ｓｌｏｔ管理テーブル４２３は、各ＵＥへのＤＬ／ＵＬのミニスロット割り当て情報を記憶保持する。
【００２９】
図５は、実施の形態にかかる端末の構成例を示すブロック図である。端末（ＵＥ）２１０は、ＵＥ動作制御部５０１、無線送受信部５０２、ベースバンド信号処理部５０３、を含む。
【００３０】
無線送受信部５０２は、ｅＮＢ２００からの無線信号を受信処理する受信信号ＩＦ（インタフェース）／処理部５１１と、ｅＮＢ２００に対し無線信号を送信処理する送信信号ＩＦ／処理部５１２と、を含む。ベースバンド信号処理部５０３は、無線送受信部５０２に対し送受信するデータに対するベースバンド処理を行う。
【００３１】
ＵＥ動作制御部５０１は、ｍｉｎｉ−ｓｌｏｔ情報受信部５２１、電波干渉判定部５２２、データ管理部５２３を含む。ｍｉｎｉ−ｓｌｏｔ情報受信部５２１は、所定のミニスロット（ｓｕｂｆｒａｍｅ＃０のｍｉｎｉ−ｓｌｏｔ＃０）で、各ＵＥ２１０のスケジューリング情報、送信用ＴＰ／各ＵＥの位置情報・送信電力情報、ミニスロットごとのＵＬ／ＤＬの情報を受信する。
【００３２】
ｍｉｎｉ−ｓｌｏｔ情報受信部５２１は、これらの情報をデータ管理部５２３の各テーブルに記憶する。各ＵＥ２１０のスケジューリング情報はＵＥスケジューリング情報テーブル５３１に記憶する。送信用ＴＰの位置情報・送信電力情報は、送信用ＴＰ位置情報・送信電力管理テーブル５３２に記憶する。各ＵＥ２１０の位置情報・送信電力情報は、ＵＥ位置情報・送信電力管理テーブル５３３に記憶する。ミニスロットごとのＵＬ／ＤＬの情報は、ｍｉｎｉ−ｓｌｏｔ管理テーブル５３４に記憶する。また、データ管理部５２３は、セルＳ内の各ＵＥ２１０から受信したデータをＵＥデータテーブル５３５に記憶する。
【００３３】
電波干渉判定部５２２は、送信用ＴＰの位置情報・送信電力管理テーブル５３２の情報、および各ＵＥ２１０のＵＥ位置情報・送信電力管理テーブル５３３の情報に基づき、送信用ＴＰのＤＬ信号の電力と、他のＵＥ２１０のＵＬ信号の電力を推定する。そして、これら電力の比較を行い、ＵＬ信号の電力がＤＬ信号の電力に比べて大きい場合は、ＵＬ信号のデータを除いてデコードを行う。なお、このデコード処理はベースバンド信号処理部５０３で行う。
【００３４】
図６は、実施の形態にかかる基地局のハードウェア構成例を示す図である。ｅＮＢ２００は、ＲＦ回路６０１、ネットワークインタフェース６０２、ＣＰＵ（Ｃｅｎｔｒａｌ  Ｐｒｏｃｅｓｓｉｎｇ  Ｕｎｉｔ）６０３、ＤＳＰ（Ｄｉｇｉｔａｌ  Ｓｉｇｎａｌ  Ｐｒｏｃｅｓｓｏｒ）６０４、メモリ６０５を含む。
【００３５】
ＲＦ回路６０１は、ＵＥ２１０との間で所定の無線周波数および変調方式（ＴＤＤ）による無線通信を行い、図４の無線送受信部４０２の機能を実現する。ネットワークインタフェース６０２は、ＣＮ（ＭＭＥ等）のネットワーク側との通信を行い、図４の伝送路インタフェース部４０６の機能を実現する。
【００３６】
ＣＰＵ６０３は、ｅＮＢ２００全体を統括制御し、図４の基地局動作制御部４０１の機能を実現する。図４に示した基地局動作制御部４０１の各機能は、図６に示したＣＰＵ６０３がメモリ６０５に格納されたプログラムを読み出し実行し、その際、メモリ６０５を作業領域に使用することで実現可能である。メモリ６０５は、ＲＯＭ，ＲＡＭ，フラッシュＲＯＭ等を用いることができる。メモリ６０５は、図４に示したデータ管理部４１５が管理するＴＰ管理テーブル４２１、ＴＰデータテーブル４２２、ｍｉｎｉ−ｓｌｏｔ管理テーブル４２３を更新可能に記憶保持する。
【００３７】
ＤＳＰ６０４は、例えば、図４のベースバンド信号処理部４０４の機能を実現する。このほか、ＣＰＵ６０３がベースバンド信号処理部４０４の機能を実現してもよい。
【００３８】
図７は、実施の形態にかかる端末のハードウェア構成例を示す図である。ＵＥ２１０は、ＲＦ回路７０１、ＣＰＵ７０２、メモリ７０３を含む。
【００３９】
ＲＦ回路７０１は、ｅＮＢ２００との間で所定の無線周波数および変調方式（ＴＤＤ）による無線通信を行い、図５の無線送受信部５０２の機能を実現する。
【００４０】
ＣＰＵ７０２は、ＵＥ２１０全体を統括制御し、図５のＵＥ動作制御部５０１の機能を実現する。図５に示したＵＥ動作制御部５０１の各機能は、図７に示したＣＰＵ７０２がメモリ７０３に格納されたプログラムを読み出し実行し、その際、メモリ７０３を作業領域に使用することで実現可能である。メモリ７０３は、ＲＯＭ，ＲＡＭ，フラッシュＲＯＭ等を用いることができる。メモリ７０３は、図５に示したデータ管理部５２３が管理するＵＥスケジューリング情報テーブル５３１、送信用ＴＰ位置情報・送信電力管理テーブル５３２、ＵＥ位置情報・送信電力管理テーブル５３３を更新可能に記憶保持する。
【００４１】
図８は、実施の形態にかかる無線通信システムの処理内容を示すシーケンス図である。図８を用いて、セルＳ内にＵＬ送信が多いＵＥ＃０と、ＤＬ受信が多いＵＥ＃１が存在した場合（図２参照）を例に説明する。図８の各処理は、ｅＮＢ２００側は基地局動作制御部４０１（ＣＰＵ６０３）が主に実行し、ＵＥ２１０側はＵＥ動作制御部５０１（ＣＰＵ７０２）が主に実行する。
【００４２】
はじめに、ｅＮＢ２００は、送信用ＴＰを決定し（ステップＳ８０１）、受信用ＴＰを決定する（ステップＳ８０２）。図８のこの例では、ＴＰ＃０が受信用、ＴＰ＃１が送信用として、ＴＰを送信用ＴＰと受信用ＴＰに分けた後の状態を示す。
【００４３】
次に、ｅＮＢ２００は、各ＵＥ２１０のデータ滞留量から各ＵＥ２１０のｍｉｎｉ−ｓｌｏｔのＤＬ／ＵＬの割り当て数を決定（ステップＳ８０３）する。そして、決定したＤＬ／ＵＬの割り当て数の情報を、送信用のＴＰ＃１を介して各ＵＥ（＃０、＃１）２１０へ通知する（ステップＳ８０４）。
【００４４】
以降、ｅＮＢ２００とＵＥ（＃０，＃１）２１０は、ＴＤＤ通信を行う（ステップＳ８０５）。この際、ｅＮＢ２００とＵＥ（＃０，＃１）２１０は、ｅＮＢ２００のｍｉｎｉ−ｓｌｏｔ管理テーブル４２３の設定に基づくスケジューリングで通信を行う。
【００４５】
図９は、実施の形態にかかる基地局が管理するｍｉｎｉ−ｓｌｏｔ管理テーブルの内容例を示す図表である。ｅＮＢ２００のｍｉｎｉ−ｓｌｏｔ管理テーブル４２３の設定例を示す。上記、ステップＳ８０３により決定されたＤＬ／ＵＬの割り当て数は、このｍｉｎｉ−ｓｌｏｔ管理テーブル４２３に記憶保持される。図９に示すように、ｍｉｎｉ−ｓｌｏｔ管理テーブル４２３には、各サブフレーム内のミニスロット単位でＵＥ＃０，ＵＥ＃１に対するＤＬ／ＵＬのスケジューリングが設定されている。また、ＤＬとＵＬの間にはＳＳが配置されている。
【００４６】
ここで、図９に示すように、ｓｕｂｆｒａｍｅ＃０のｍｉｎｉ−ｓｌｏｔ＃０は各ＵＥ２１０ともにＤＬとする。このミニスロット＃０をＤＬとしたタイミングは、電波干渉回避に使用する情報をｅＮＢ２００が各ＵＥ２１０へ通知するために必要となる。各ＵＥ（ＵＥ＃０，ＵＥ＃１）は、ｓｕｂｆｒａｍｅ＃０のｍｉｎｉ−ｓｌｏｔ＃０のタイミングで制御情報の通知を受信し、他のＵＥ２１０のスケジューリング情報等を取得できる。
【００４７】
図８に戻り、ｅＮＢ２００は、ｓｕｂｆｒａｍｅ＃０のｍｉｎｉ−ｓｌｏｔ＃０のタイミングで、既存のＵＬ／ＤＬスケジューラの機能により、ＵＬスケジューリングを行い（ステップＳ８０６）、ＤＬスケジューリングを行う（ステップＳ８０７）。
【００４８】
そして、ｅＮＢ２００は、スケジューリング情報と、送信用ＴＰ／各ＵＥの位置情報・送信電力情報をｍｉｎｉ−ｓｌｏｔ＃０に設定し、送信用のＴＰ＃１を介して各ＵＥ２１０へ通知する（ステップＳ８０８）。スケジューリング情報は、例えば、符号化方式や変調方式（ＭＣＳ：Ｍｏｄｕｌａｔｉｏｎ  ａｎｄ  Ｃｏｄｉｎｇ  Ｓｃｈｅｍｅ）、リソースブロック（ＲＢ：Ｒｅｓｏｕｒｃｅ  Ｂｌｏｃｋ）割り当て情報などを含む。
【００４９】
この後、図９のようにｓｕｂｆｒａｍｅ＃０のｍｉｎｉ−ｓｌｏｔ＃２のタイミングでは、ＵＥ＃０がＵＬ、ＵＥ＃１がＤＬであり、ＵＬ／ＤＬのタイミングが同時となる。
【００５０】
図１０は、実施の形態にかかる無線通信システムにおける同時タイミングのＵＬ／ＤＬによる電波干渉の説明図である。図９に示したｓｕｂｆｒａｍｅ＃０のｍｉｎｉ−ｓｌｏｔ＃２のタイミングの際、ＵＥ＃０がＵＬ、ＵＥ＃１がＤＬであるため、ＵＬ／ＤＬのタイミングが同時の場合を示す。この場合、ｅＮＢ２００側の受信用のＴＰ＃０は、送信用のＴＰ＃１が送信するＤＬ信号ａが干渉波ａとなる。また、ＤＬ受信のＵＥ＃１（２１０）は、ＵＥ＃０（２１０）が送信するＵＬ信号ｂが干渉波ｂとなる。
【００５１】
この場合、ｅＮＢ２００およびＵＥ２１０はそれぞれ下記のデコード処理を行う（図８のステップＳ８０９，ステップＳ８１０）。
【００５２】
ｅＮＢ２００では、受信用のＴＰ＃０での「ＴＰ＃１からのＤＬ信号ａ」と「ＵＥ＃０からのＵＬ信号ｂ」について、ＴＰ＃１のＤＬ信号ａをｅＮＢ２００で特定する。そして、特定したＤＬ信号ａのデコードをキャンセルする処理を行い（下記式（１）参照）、ＵＥ＃０からのＵＬ信号ｂのみのデコードを行う（図８のステップＳ８０９）。
【００５３】
（ａ＋ｂ）−ａ＝ｂ  …（１）
【００５４】
これにより、ｅＮＢ２００では、ＵＥ＃０からのＵＬ信号ｂの受信時、ＴＰ＃０におけるＴＰ＃１からのＤＬ信号ａによる電波干渉を回避できる。
【００５５】
ＵＥ＃１（２１０）では、ＵＥ＃１に届く「ＴＰ＃１からのＤＬ信号ａ」の電力と「ＵＥ＃０からのＵＬ信号ｂ」の電力を比較する。そして、「ＵＥ＃０からのＵＬ信号ｂ」の電力が「ＴＰ＃１からのＤＬ信号ａ」の電力に比べて弱い場合は、ＤＬ信号ａに対するＵＬ信号ｂによる電波干渉の影響は小さいので、ＤＬ信号ａをそのままデコードする。
【００５６】
一方、ＵＥ＃１（２１０）は、「ＵＥ＃０からのＵＬ信号ｂ」の電力が「ＴＰ＃１からのＤＬ信号ａ」の電力に比べて強い場合は、下記の処理を行う。
（１）ＵＥ＃１において、受信した信号（ＴＰ＃１からのＤＬ信号ａ＋ＵＥ＃０からのＵＬ信号ｂ）のデコードを行う。
（２）ｓｕｂｆｒａｍｅ＃０のｍｉｎｉ−ｓｌｏｔ＃０のタイミングで受信したＵＥ＃０のスケジューリング情報と、上記（１）で求めたデコード結果を使って、ＵＥ＃０からのＵＬ信号ｂをデコードする。
（３）上記（２）でデコードしたＵＥ＃０からのＵＬ信号ｂ’のエンコードを行う。
（４）受信した信号（ＴＰ＃１からのＤＬ信号ａ＋ＵＥ＃０からのＵＬ信号ｂ）から、（３）で求めたＵＥ＃０からのＵＬ信号ｂを差し引く（下記式（２）参照）。
（ａ＋ｂ）−ｂ＝ａ  …（２）
（５）（４）で求めた信号（ＴＰ＃１からのＤＬ信号ａ）のデコードを行う。
これにより、ＵＥ＃１（２１０）は、ＴＰ＃１からのＤＬ信号ａの受信時、ＵＥ＃０からのＵＬ信号ｂによる電波干渉を回避できる。
【００５７】
図１１は、実施の形態にかかる基地局が行う初期設定の処理例を示すフローチャートである。ｅＮＢ２００の基地局動作制御部４０１（ＣＰＵ６０３）が主に実施する、図８のステップＳ８０１〜ステップＳ８０４の処理例の詳細を説明する。ｅＮＢ２００は、複数のＴＰ（例えばＴＰ数＝３２）を有しており、ｅＮＢ２００と各ＴＰは、例えば、ＣＰＲＩ（Ｃｏｍｍｏｎ  Ｐｕｂｌｉｃ  Ｒａｄｉｏ  Ｉｎｔｅｒｆａｃｅ）により有線接続されている。
【００５８】
はじめに、ｅＮＢ２００は、セルＳ内の各ＵＥ２１０からデータ滞留量を受信する（ステップＳ１１０１）。この際、各ＵＥ２１０は、ＵＬのデータ滞留量（未送信のデータ量）をｅＮＢ２００に通知する。そして、ＴＰごとにＴＰ配下の全ＵＥからの受信・送信電力とデータ滞留量（未送信データ量）を算出する（ステップＳ１１０２）。この際、ｅＮＢ２００は、各ＴＰごとにセルＳ内の全ＵＥ２１０から受信する受信電力の合計を算出し、また、全ＵＥ２１０から受信するデータ滞留量の合計を取得する。また、各ＴＰごとにセルＳ内の全ＵＥ２１０へ送信する送信電力の合計を算出し、また、全ＵＥ２１０に送信するデータ滞留量の合計を算出する。この処理でｅＮＢ２００は、ＴＰごとのＵＥ２１０との位置関係を求める。
【００５９】
次に、ｅＮＢ２００は、ＴＰのうち一番送信電力が低く、かつ送信するデータ滞留量が最も多いＴＰを送信用のＴＰとして決定する（ステップＳ１１０３）。例えば、図１０に示す例では、ＴＰ＃１が最も送信電力が低く（例えば最もＵＥ＃１に近い）、ｅＮＢ２００がＵＥ＃１へ送信するデータ滞留量が多い場合、ＴＰ＃１を送信用のＴＰとして決定する。
【００６０】
次に、ｅＮＢ２００は、ＴＰのうち一番受信電力が高く、かつ受信するデータ滞留量が最も多いＴＰを受信用のＴＰとして決定する（ステップＳ１１０４）。例えば、図１０に示す例では、ＴＰ＃０が最も受信電力が高く（例えば最もＵＥ＃０に近い）、ＵＥ＃０から受信するデータ滞留量が多い場合、ＴＰ＃０を受信用のＴＰとして決定する。そして、ｅＮＢ２００は、決定したＴＰ情報をＴＰ管理テーブル４２１に記憶する（ステップＳ１１０５）。
【００６１】
図１２は、実施の形態にかかる基地局のＴＰ管理テーブルの例を示す図表である。ＴＰ管理テーブル４２１は、ＴＰ番号ごとに送受信割り当て種別が設定される。そして、上記処理により、ｅＮＢ２００は、ＴＰ＃０を受信用、ＴＰ＃１を送信用として割り当てる（例えば、図１０の状態）。なお、ステップＳ１１０４で決定した受信用のＴＰがステップＳ１１０３で決定した送信用のＴＰと同じＴＰ番号（ＴＰ＃１）の場合、ｅＮＢ２００は２番目（例えば、２番目に受信電力が高いＴＰをＴＰ番号として決定して、送信用ＴＰと受信用ＴＰの重複を防ぐ。
【００６２】
上記処理では、送受信割り当てを決定するためのパラメータとして受信電力、送信電力、データ滞留量を用いたが、ｅＮＢ２００は、ＴＰごとに送信用と受信用が重複しないよう割り当てを決定すればよい。また、他のパラメータとして、ＳＩＮＲやビットエラー率、通信速度等の通信品質等の他のパラメータを加えて割り当てを決定してもよい。
【００６３】
図１１に戻り、次に、ｅＮＢ２００は、各ＵＥ２１０のＤＬ／ＵＬのｍｉｎｉ−ｓｌｏｔの数を決定する（ステップＳ１１０６）。この際、ｅＮＢ２００は、ミニスロットに対するＤＬとＵＬの比率をＤＬのデータ滞留量と、ＵＬのデータ滞留量とに基づき決定する。
【００６４】
次に、ｅＮＢ２００は、ステップＳ１１０６で決定した各ＵＥ２１０のミニスロット割り当て種別をｍｉｎｉ−ｓｌｏｔ管理テーブル４２３に記憶する（ステップＳ１１０７）。例えば、図９に示すように、ｍｉｎｉ−ｓｌｏｔ管理テーブル４２３には、各ＵＥ（ＵＥ＃０，ＵＥ＃１）別に、各ミニスロットに対するＤＬあるいはＵＬが設定される。なお、ＤＬとＵＬの間にはＳＳを設定する。
【００６５】
そして、ｅＮＢ２００は、セルＳ内の各ＵＥ２１０に対し、ミニスロットのＤＬ／ＵＬタイミングを通知する（ステップＳ１１０８）。このＤＬ／ＵＬタイミングは、図９のｍｉｎｉ−ｓｌｏｔ管理テーブル４２３が示すミニスロットごとのＤＬあるいはＵＬの設定情報である。以降、ｅＮＢ２００のセルＳ内の各ＵＥ２１０は、ｅＮＢ２００から通知されたミニスロットのＤＬ／ＵＬタイミングに基づき通信を行う（図８のステップＳ８０５に相当）。
【００６６】
図１３は、実施の形態にかかる基地局が行う制御情報を端末に通知する処理例を示すフローチャートである。ｅＮＢ２００の基地局動作制御部４０１（ＣＰＵ６０３）が主に実施する、図８のステップＳ８０６〜ステップＳ８０８の処理例の詳細を説明する。
【００６７】
はじめに、ｅＮＢ２００は、ｍｉｎｉ−ｓｌｏｔ単位でＵＬのスケジューリングを行い（ステップＳ１３０１）、また、ｍｉｎｉ−ｓｌｏｔ単位でＤＬのスケジューリングを行う（ステップＳ１３０２）。そして、ｅＮＢ２００は、現在のタイミングが制御スロットのタイミングであるか判断する（ステップＳ１３０３）。この際、ｅＮＢ２００は、制御スロットに相当するｓｕｂｆｒａｍｅ＝０でかつｍｉｎｉ−ｓｌｏｔ＝０のタイミングであるか判断する。
【００６８】
現在のタイミングが制御スロットのタイミングであれば（ステップＳ１３０３：Ｙｅｓ）、ｅＮＢ２００は、ステップＳ１３０４の処理に移行する。現在のタイミングが制御スロットのタイミングでなければ（ステップＳ１３０３：Ｎｏ）、ステップＳ１３０６の処理に移行する。
【００６９】
ステップＳ１３０４では、各ＵＥ２１０のスケジューリング情報をミニスロットに設定する（ステップＳ１３０４）。この際、ｅＮＢ２００は、ＵＥ２１０ごとにＭＣＳ、ＲＢ割り当て情報等を含むスケジューリングを行い、ミニスロットに設定する。
【００７０】
次に、ステップＳ１３０５では、ｅＮＢ２００は、送信用のＴＰと各ＵＥ２１０の位置情報、ＵＥ２１０の送信電力をミニスロットに設定する（ステップＳ１３０５）。送信用のＴＰの位置情報は、ＴＰが固定された位置の位置情報であり、各ＵＥ２１０の位置は、ＵＥ２１０のＧＰＳ等の測位情報に基づき設定する。各ＵＥ２１０の送信電力は、例えば、ｅＮＢ２００およびＵＥ２１０それぞれの位置に基づき、ｅＮＢ２００とＵＥ２１０との間の距離に対応して設定する。
【００７１】
次に、ｅＮＢ２００は、ＴＰ管理テーブル４２１を参照し（図１２参照）、送信用ＴＰを選択し、送信用ＴＰから各ＵＥ２１０へ制御情報を通知する（ステップＳ１３０６）。制御情報は、ミニスロットに設定した、各ＵＥのスケジューリング情報、送信用ＴＰ、各ＵＥ２１０の位置情報および送信電力等を含む。
【００７２】
図１４は、実施の形態にかかる基地局が行う電波干渉回避のデコード処理例を示すフローチャートである。ｅＮＢ２００の基地局動作制御部４０１（ＣＰＵ６０３）が主に実施する、図８のステップＳ８０９の処理例の詳細を説明する。
【００７３】
ｅＮＢ２００は、送信用ＴＰにてデータ送信した情報（データＡの送信）をＴＰデータテーブル４２２に記憶する（ステップＳ１４０１）。また、受信用ＴＰにてデータ受信した情報（データＢの受信）をＴＰデータテーブル４２２に記憶する（ステップＳ１４０２）。
【００７４】
図１５は、実施の形態にかかる基地局のＴＰデータテーブルの例を示す図表である。図１５（ａ）に示すように、ｅＮＢ２００のＴＰデータテーブル４２２には、ステップＳ１４０１の実行により、ＴＰ＃１がデータＡを送信したことが記憶される。この後、図１５（ｂ）に示すように、ＴＰデータテーブル４２２には、ステップＳ１４０２の実行により、ＴＰ＃０がデータＢを受信したことが記憶される。
【００７５】
この後、ｅＮＢ２００は、ｍｉｎｉ−ｓｌｏｔ管理テーブル４２３を参照し、各ＵＥ２１０の割り当て種別を確認する（ステップＳ１４０３）。そして、ｅＮＢ２００は、ＵＬとＤＬのタイミングが同時であるかを判断する（ステップＳ１４０４）。ミニスロット単位において、ＵＬとＤＬが同時の場合には（ステップＳ１４０４：Ｙｅｓ）、ｅＮＢ２００は、ステップＳ１４０５の処理に移行する。
【００７６】
例えば、図９に示したｓｕｂｆｒａｍｅ＃０のｍｉｎｉ−ｓｌｏｔ＃２のタイミングの際、ｅＮＢ２００は、ＵＬとＤＬが同時であると判断する。ＵＬとＤＬが同時でない場合には（ステップＳ１４０４：Ｎｏ）、送受信するデータについてそのままデコードを行い（ステップＳ１４０７）、以上の処理を終了する。
【００７７】
ステップＳ１４０５では、ｅＮＢ２００は、ＴＰデータテーブル４２２を参照し、送信用ＴＰのデータＡを特定する（ステップＳ１４０５）。そして、ｅＮＢ２００は、受信したデータＢから上記で特定したデータＡを引く処理を行い（ステップＳ１４０６）、以上の処理を終了する。
【００７８】
この際、ｅＮＢ２００は、上述したように、受信用のＴＰ＃０での「ＴＰ＃１からのＤＬ信号ａ（データＡ）」と「ＵＥ＃０からのＵＬ信号ｂ（データＢ）」について、ＴＰ＃１のＤＬ信号ａ（データＡ）をｅＮＢ２００で特定する。そして、特定したＤＬ信号ａ（データＡ）のデコードをキャンセルする処理を行う（上記式（１）参照）。そして、ＵＥ＃０からのＵＬ信号ｂ（データＢ）のみのデコードを行う。これにより、ＴＰ＃０は、ＵＥ＃０からのＵＬ信号ｂ（データＢ）の受信時、ＴＰ＃１のＤＬ信号ａ（データＡ）による電波干渉を回避できる。
【００７９】
また、ｅＮＢ２００は、送信用のＴＰ＃１で送信した制御情報を有線通信、例えば、図１０のＣＰＲＩにより送信用のＴＰ＃１から受信用のＴＰ＃０へ出力（転送）しておく構成としてもよい。これにより、図１４に示した処理におけるＤＬのデータＡを特定でき、ＵＬのデータＢをデコードできるようになる。
【００８０】
図１６は、実施の形態にかかる端末が行う通知された制御情報に基づく処理例を示すフローチャートである。ＵＥ２１０のＵＥ動作制御部５０１（ＣＰＵ７０２）が主に実施する、図８のステップＳ８０８によるｅＮＢ２００からの制御情報の通知時の処理例の詳細を説明する。
【００８１】
また、図１７は、実施の形態にかかる端末のデータ管理部の各テーブルの例を示す図表である。制御情報の通知等に基づく各テーブルの設定例を示す。ＵＥ２１０は、ｅＮＢ２００から通知された制御情報に基づき、各ＵＥ２１０のスケジューリング情報を管理するＵＥスケジューリング情報テーブル５３１、送信用ＴＰ位置情報・送信電力情報を管理する送信用ＴＰ位置情報・送信電力管理テーブル５３２を使用する。また、ＵＥ２１０は、各ＵＥ２１０のＵＥ位置情報・送信電力情報を管理するＵＥ位置情報・送信電力管理テーブル５３３、セルＳ内の各ＵＥ２１０から受信したデータを記憶するＵＥデータテーブル５３５を使用する。
【００８２】
また、ＵＥ２１０は、セルＳ内の各ＵＥ２１０のミニスロット単位でのＤＬとＵＬの割り当てかを認識するために、ｅＮＢ２００同様に、各ＵＥ２１０のミニスロット割り当て情報をｍｉｎｉ−ｓｌｏｔ管理テーブル５３４に記憶保持する。ＵＥ２１０のｍｉｎｉ−ｓｌｏｔ管理テーブル５３４は、ｅＮＢ２００のｍｉｎｉ−ｓｌｏｔ管理テーブル４２３と同様の設定内容である。ここで、ＵＥ２１０のｍｉｎｉ−ｓｌｏｔ管理テーブル５３４は、全てのサブフレームにおけるミニスロットの割り当て情報を管理する必要はなく、必要なサブフレーム分のミニスロット割り当て情報を管理する。
【００８３】
図１６において、はじめに、ＵＥ２１０は、ｍｉｎｉ−ｓｌｏｔ管理テーブル５３４を参照し（図１７（ａ）参照）、現在のタイミングがＤＬであるか判断する（ステップＳ１６０１）。ＵＥ２１０は、現在のタイミングがＤＬでなければ（ステップＳ１６０１：Ｎｏ）、以上の処理を終了する。現在のタイミングがＤＬであれば（ステップＳ１６０１：Ｙｅｓ）、ＵＥ２１０は、ｅＮＢ２００からＤＬによるデータを受信し、受信したデータをＵＥデータテーブル５３５に記憶する（ステップＳ１６０２、図１７（ｂ）参照）。
【００８４】
次に、ＵＥ２１０は、現在のタイミングが制御スロットのタイミングであるか判断する（ステップＳ１６０３）。この際、制御スロットに相当するｓｕｂｆｒａｍｅ＝０でかつｍｉｎｉ−ｓｌｏｔ＝０のタイミングであるか判断する。
【００８５】
現在のタイミングが制御スロットのタイミングであれば（ステップＳ１６０３：Ｙｅｓ）、ＵＥ２１０は、ステップＳ１６０４の処理に移行し、現在のタイミングが制御スロットのタイミングでなければ（ステップＳ１６０３：Ｎｏ）、以上の処理を終了する。
【００８６】
ステップＳ１６０４では、ＵＥ２１０は、各ＵＥ２１０のスケジューリング情報をＵＥスケジューリング情報テーブル５３１に記憶する（ステップＳ１６０４、図１７（ｃ）参照）。次に、ＵＥ２１０は、送信用ＴＰの位置情報と送信電力を送信用ＴＰ位置情報・送信電力管理テーブル５３２（図１７（ｄ）参照）に記憶する。また、ＵＥ２１０ごとの位置情報と送信電力をＵＥ位置情報・送信電力管理テーブル５３３（図１７（ｅ）参照）に記憶し（ステップＳ１６０５）、以上の処理を終了する。
【００８７】
図１８は、実施の形態にかかる端末が行う電波干渉回避のデコード処理例を示すフローチャートである。ＵＥ２１０のＵＥ動作制御部５０１（ＣＰＵ７０２）が主に実施する、図８のステップＳ８１０の処理例の詳細を説明する。
【００８８】
また、図１９は、実施の形態にかかる端末のデータ管理部の各テーブルの例を示す図表である。電波干渉回避時の各テーブルの設定例を示す。ＵＥ２１０は、受信したデータを管理するＵＥデータテーブル５３５、ＵＥ位置情報・送信電力管理テーブル５３３、送信用ＴＰ位置情報・送信電力管理テーブル５３２、ＵＥスケジューリング情報テーブル５３１を使用する。
【００８９】
図１８において、はじめに、ＵＥ２１０は、データ受信し、受信したデータをＵＥデータテーブル５３５に記憶する（ステップＳ１８０１、図１９（ａ）参照）。図１９の例では、自ＵＥ＃１がデータＡを受信した状態を示している。
【００９０】
次に、ＵＥ（ＵＥ＃１）２１０は、ＵＥ位置情報・送信電力管理テーブル５３３（図１９（ｂ）参照）を参照し、他ＵＥ（ＵＥ＃０）の位置とＵＬ信号の送信電力を推定する（ステップＳ１８０２）。次に、ＵＥ２１０は、送信用ＴＰ位置情報・送信電力管理テーブル５３２（図１９（ｃ））を参照し、送信用ＴＰ（ＴＰ＃１）から送信されたＤＬ信号の電力を推定する（ステップＳ１８０３）。
【００９１】
次に、ＵＥ２１０は、ＵＬ信号とＤＬ信号の電力を比較する（ステップＳ１８０４）。比較の結果、ＵＬ信号の電力が大きければ（ステップＳ１８０４：ＵＬ信号大）、ＵＥ２１０は、ステップＳ１８０６の処理に移行する。ＤＬ信号の電力が大きければ（ステップＳ１８０４：ＤＬ信号大）、受信したデータについてそのままデコードを行い（ステップＳ１８０５）、以上の処理を終了する。
【００９２】
ステップＳ１８０６では、ＵＥ２１０は、受信データＡのデコードを行う（ステップＳ１８０６）。次に、ＵＥ２１０は、ＵＥスケジューリング情報テーブル５３１（図１９（ｄ））を参照し、ＵＬに関して各ＵＥ２１０（ＵＥ＃０，ＵＥ＃１）のスケジューリング情報を取得する（ステップＳ１８０７）。
【００９３】
次に、ＵＥ２１０は、ステップＳ１８０７で取得したスケジューリング情報とステップＳ１８０６でデコードした結果を用いてＵＬ信号（他のＵＥ＃０のＵＬ信号）を特定し、このＵＬ信号のデコードを行う（ステップＳ１８０８）。次に、ＵＥ２１０は、デコードしたＵＬ信号（ＵＥ＃０のデータＢ）のエンコードを行う（ステップＳ１８０９）。
【００９４】
そして、ＵＥ（ＵＥ＃１）２１０は、受信したデータＡから特定したデータＢを引く処理を行い（ステップＳ１８１０）、以上の処理を終了する。
【００９５】
この際、ＵＥ（ＵＥ＃１）２１０は、上記式（２）に基づき、受信した信号（ＴＰ＃１からのＤＬ信号ａ（データＡ）＋ＵＥ＃０からのＵＬ信号ｂ（データＢ））から、ＵＥ＃０からのＵＬ信号ｂ（データＢ）を差し引く。そして、ＴＰ＃１からのＤＬ信号ａ（データＡ）のデコードを行う。これにより、ＵＥ（ＵＥ＃１）２１０は、ＴＰ＃１からのＤＬ信号ａ（データＡ）の受信時、ＵＥ＃０からのＵＬ信号ｂ（データＢ）による電波干渉を回避できる。
【００９６】
以上説明した実施の形態によれば、基地局は、サブフレームを分割したミニスロット技術を利用し、ＵＥごとにミニスロットのＤＬとＵＬに割り当てる。また、ＤＬとＵＬを同時に行えるようにするために、ＴＰを送信用ＴＰと受信用ＴＰに分けて通信を行う。そして、基地局および端末はそれぞれ、ＤＬとＵＬのタイミングが同時の場合に、ＴＰ間やＵＥ間で生じる電波干渉は、所定のミニスロットで通知する制御情報に基づき、必要な信号のみのデコードを行うことで回避できるようになる。この際、必要な信号から不要な信号を差し引きデコードする簡単なデータ処理で電波干渉を防ぐことができる。
【００９７】
これにより、セル内の端末の通信状態、例えば、ＤＬ／ＵＬのデータ量に基づき、ミニスロットに対するＤＬおよびＵＬを柔軟に割り当てて効率的に通信できる。また、ＤＬおよびＵＬのデータ量（未送信のデータの滞留量）が多いＵＥがセル内で混在した場合であっても遅延時間の増大や、最大スループット低下を防ぐことができる。
【００９８】
このように、ＴＤＤにおいてＴＰを送信用と受信用にそれぞれ設けることで、柔軟かつ効率的にＤＬとＵＬの通信を行える。加えて、異なるＴＰ間で同時にＤＬとＵＬの通信を行う場合における基地局の送信用のＴＰと受信用のＴＰ間での電波干渉、および端末でのＤＬの信号と他端末のＵＬの信号による電波干渉、のそれぞれを抑制した通信が行えるようになる。
【００９９】
なお、本実施の形態で説明した基地局および端末が行う上記の処理方法は、あらかじめ用意された制御プログラムを対象機器（上記基地局および端末）等のコンピュータ（ＣＰＵ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【０１００】
上述した実施の形態に関し、さらに以下の付記を開示する。
【０１０１】
（付記１）ＴＤＤ（Ｔｉｍｅ  Ｄｉｖｉｓｉｏｎ  Ｄｕｐｌｅｘ）方式で端末と通信を行う基地局において、
送信用および受信用のいずれに使用するかを決定された複数のアンテナと、
セル配下の複数の前記端末との間の通信状態に基づき、サブフレームを分割したミニスロットごとに複数の前記端末との間のダウンリンクとアップリンクを割り当てるスケジューリングを行い、当該スケジューリングの情報を含む制御情報を、複数の前記アンテナのうち送信用に使用すると決定された送信用アンテナから複数の前記端末に通知し、
前記スケジューリングの前記ダウンリンクと前記アップリンクとが同一のタイミングの際には、前記送信用アンテナの前記ダウンリンクの信号のデコードをキャンセルし、複数の前記アンテナのうち受信用に使用すると決定された受信用アンテナが受信する前記アップリンクの信号のみデコードを行う制御部と、
を備えたことを特徴とする基地局。
【０１０２】
（付記２）前記制御部は、
所定の前記ミニスロットを複数の前記端末で共通のダウンリンクとし、当該ダウンリンクのミニスロットに前記制御情報を設定し、複数の前記端末に一斉通知することを特徴とする付記１に記載の基地局。
【０１０３】
（付記３）前記制御部は、
前記制御情報として、さらに、前記基地局および前記セル内の複数の前記端末の位置情報と、前記基地局および複数の前記端末の送信電力と、をそれぞれ保持し、前記制御情報を複数の前記端末に通知することを特徴とする付記２に記載の基地局。
【０１０４】
（付記４）前記制御部は、
前記制御情報として、さらに、前記端末ごとの変調方式と、符号化方式と、リソースブロック情報と、を含むことを特徴とする付記３に記載の基地局。
【０１０５】
（付記５）前記制御部は、
前記受信用アンテナが受信する、前記アップリンクの信号と、前記送信用アンテナからの前記ダウンリンクの信号について、前記ダウンリンクの信号を特定し、特定した前記ダウンリンクの信号のデコードをキャンセルし、前記アップリンクの信号のみのデコードを行う、
ことを特徴とする付記１〜４のいずれか一つに記載の基地局。
【０１０６】
（付記６）前記制御部は、
前記端末との間の通信状態として、前記ダウンリンクのデータ滞留量および前記アップリンクのデータ滞留量に基づき、前記スケジューリングの前記ダウンリンクと前記アップリンクの割合を決定する、
ことを特徴とする付記１〜５のいずれか一つに記載の基地局。
【０１０７】
（付記７）前記制御部は、
複数の前記アンテナごとに、配下の全端末との間で合計した受信電力および送信電力と、合計したダウンリンクのデータ滞留量およびアップリンクのデータ滞留量に基づき、前記送信用アンテナと、前記受信用アンテナと、を決定する、
ことを特徴とする付記１〜６のいずれか一つに記載の基地局。
【０１０８】
（付記８）前記制御部は、
複数の前記アンテナのうち、最も前記送信電力が低く、かつ前記ダウンリンクのデータ滞留量が多い前記アンテナを前記送信用アンテナとして決定し、
最も前記受信電力が高く、かつ前記アップリンクのデータ滞留量が多い前記アンテナを前記受信用アンテナとして決定する、
ことを特徴とする付記７に記載の基地局。
【０１０９】
（付記９）前記制御部は、
決定した前記受信用アンテナが前記送信用アンテナと同じ場合には、次に前記受信電力が高く、かつ前記アップリンクのデータ滞留量が多い前記アンテナを前記受信用アンテナとして決定する、
ことを特徴とする付記８に記載の基地局。
【０１１０】
（付記１０）前記制御部は、
前記送信用アンテナから送信した前記制御情報を、有線通信により前記送信用アンテナから前記受信用アンテナへ転送する、
ことを特徴とする付記１〜９のいずれか一つに記載の基地局。
【０１１１】
（付記１１）ＴＤＤ（Ｔｉｍｅ  Ｄｉｖｉｓｉｏｎ  Ｄｕｐｌｅｘ）方式で基地局のセル配下で通信を行う端末において、
前記基地局から通知された制御情報に含まれるスケジュールにしたがい、サブフレームを分割したミニスロットごとに前記基地局との間のダウンリンクとアップリンクの通信を行い、
前記ダウンリンクと前記アップリンクとが同一のタイミングの際には、前記制御情報に基づき、他の端末から受信した前記アップリンクの信号のデコードをキャンセルし、受信した前記ダウンリンクの信号のみデコードを行う制御部、
を備えたことを特徴とする端末。
【０１１２】
（付記１２）前記制御部は、
所定の前記ミニスロットを、前記セル配下の複数の前記端末で共通のダウンリンクとし、当該ダウンリンクのミニスロットに設定された前記制御情報を取得することを特徴とする付記１１に記載の端末。
【０１１３】
（付記１３）前記制御部は、
前記制御情報に含まれる、前記基地局および複数の前記端末の位置情報と、前記基地局および複数の前記端末の送信電力と、をそれぞれ取得する、
ことを特徴とする付記１２に記載の端末。
【０１１４】
（付記１４）前記制御部は、
前記制御情報に含まれる、複数の前記端末ごとの変調方式と、符号化方式と、リソースブロック情報とを、さらに取得することを特徴とする付記１３に記載の端末。
【０１１５】
（付記１５）前記制御部は、
受信した前記ダウンリンクの信号と、他の前記端末の前記アップリンクの信号について、前記アップリンクの信号を特定し、特定した前記アップリンクの信号のデコードをキャンセルし、前記ダウンリンクの信号のみのデコードを行う、
ことを特徴とする付記１１〜１４のいずれか一つに記載の端末。
【０１１６】
（付記１６）前記制御部は、
前記ダウンリンクのデータの滞留量を前記基地局に送信することを特徴とする付記１１〜１５のいずれか一つに記載の端末。
【０１１７】
（付記１７）ＴＤＤ（Ｔｉｍｅ  Ｄｉｖｉｓｉｏｎ  Ｄｕｐｌｅｘ）方式で通信を行う基地局と、端末と、を含む無線通信システムにおいて、
前記基地局は、
送信用および受信用のいずれに使用するかを決定された複数のアンテナと、
セル配下の複数の前記端末との間の通信状態に基づき、サブフレームを分割したミニスロットごとに複数の前記端末との間のダウンリンクとアップリンクを割り当てるスケジューリングを行い、当該スケジューリングの情報を含む制御情報を、複数の前記アンテナのうち送信用に使用すると決定された送信用アンテナから複数の前記端末に通知し、
前記スケジューリングの前記ダウンリンクと前記アップリンクとが同一のタイミングの際には、前記送信用アンテナの前記ダウンリンクの信号のデコードをキャンセルし、複数の前記アンテナのうち受信用に使用すると決定された受信用アンテナが受信する前記アップリンクの信号のみデコードを行う制御部と、を備え、
前記端末は、
前記基地局から通知された制御情報に含まれるスケジュールにしたがい、前記ミニスロットごとに前記基地局との間の前記ダウンリンクと前記アップリンクの通信を行い、
前記ダウンリンクと前記アップリンクとが同一のタイミングの際には、前記制御情報に基づき、他の端末から受信した前記アップリンクの信号のデコードをキャンセルし、受信した前記ダウンリンクの信号のみデコードを行う制御部、を備えた、
ことを特徴とする無線通信システム。
【符号の説明】
【０１１８】
２００  基地局（ｅＮＢ）
２１０  端末（ＵＥ）
４０１  基地局動作制御部
４０２  無線送受信部
４０３  無線送受信インタフェース部
４０４  ベースバンド信号処理部
４０５  伝送路信号変換部
４０６  伝送路インタフェース部
４１１  送受信ＴＰ決定部
４１２  ｍｉｎｉ−ｓｌｏｔ割り当て決定部
４１３  ｍｉｎｉ−ｓｌｏｔ情報設定部
４１４  電波干渉判定部
４１５  データ管理部
４２１  ＴＰ管理テーブル
４２２  ＴＰデータテーブル
４２３  ｍｉｎｉ-ｓｌｏｔ管理テーブル
５０１  ＵＥ動作制御部
５０２  無線送受信部
５０３  ベースバンド信号処理部
５１１  受信信号ＩＦ／処理部
５１２  送信信号ＩＦ／処理部
５２１  ｍｉｎｉ−ｓｌｏｔ情報受信部
５２２  電波干渉判定部
５２３  データ管理部
５３１  ＵＥスケジューリング情報テーブル
５３２  送信用ＴＰ位置情報・送信電力管理テーブル
５３３  ＵＥ位置情報・送信電力管理テーブル
５３４  ｍｉｎｉ−ｓｌｏｔ管理テーブル
５３５  ＵＥデータテーブル
６０１，７０１  ＲＦ回路
６０２  ネットワークインタフェース
６０３，７０２  ＣＰＵ
６０４  ＤＳＰ
６０５，７０３  メモリ
ＴＰ  アンテナ（送信ポイント）
【図１】
2018186377.tif 000003
【図２】
2018186377.tif 000004
【図３】
2018186377.tif 000005
【図４】
2018186377.tif 000006
【図５】
2018186377.tif 000007
【図６】
2018186377.tif 000008
【図７】
2018186377.tif 000009
【図８】
2018186377.tif 000010
【図９】
2018186377.tif 000011
【図１０】
2018186377.tif 000012
【図１１】
2018186377.tif 000013
【図１２】
2018186377.tif 000014
【図１３】
2018186377.tif 000015
【図１４】
2018186377.tif 000016
【図１５】
2018186377.tif 000017
【図１６】
2018186377.tif 000018
【図１７】
2018186377.tif 000019
【図１８】
2018186377.tif 000020
【図１９】
2018186377.tif 000021